(57)【要約】【課題】吸気部付近の吸気と排気部付近の排気とが互いに混合することを抑え、冷暖房の運転効率を上昇させることができる複合装置を提供する。【解決手段】複合装置１は、建物１００の凹部である例えばはめ込み部１０２に配置されるハイブリッド器具であり、空気が吸い込まれる吸気部２１Ｒと空気が排出される排気部２２Ｒとを有するヒートポンプ２０と、吸気部２１Ｒと排気部２２Ｒの間においてヒートポンプ２０と並んで配置された給湯器１０と、を備えている。【選択図】図１
2018091532.tif 000002
【特許請求の範囲】
【請求項１】
建物の凹部に配置される複合装置であって、
空気が吸い込まれる吸気部と空気が排出される排気部とを有するヒートポンプと、
前記吸気部と前記排気部との間において前記ヒートポンプと並んで配置された給湯器と、
を備えたことを特徴とする複合装置。
【請求項２】
前記ヒートポンプは、
前記吸気部を有する第１領域部と、
前記排気部を有する第２領域部と、
を有し、
前記第１領域部と前記第２領域部とは、第３領域部により互いに接続されており、
前記第３領域部は、前記給湯器の背面側に配置されていることを特徴とする請求項１に記載の複合装置。
【請求項３】
前記第１領域部と前記第２領域部と前記給湯器とは、それぞれ前面カバーを有し、
前記給湯器の前記前面カバーの前面は、前記第１領域部の前記前面カバーと前記第２領域部の前記前面カバーとの前面よりも前に配置され、
前記給湯器の前記前面カバーは、前記第１領域部の前記前面カバーおよび前記第２領域部の前記前面カバーよりも前に配置された部分の側面に設けられた吸気孔を有することを特徴とする請求項２に記載の複合装置。
【請求項４】
前記凹部には、前記ヒートポンプと前記給湯器とを収納する収納箱が設置されていることを特徴とする請求項１〜３のいずれか１項に記載の複合装置。
【発明の詳細な説明】
【技術分野】
【０００１】
本発明は、建物の壁を利用して配置される冷暖房用の室外機と給湯器とを備える複合装置に関する。
【背景技術】
【０００２】
例えば、冷暖房の室外機は、特許文献１に示すように、マンション等の建物の壁に埋め込まれた収納箱内に収納されている。この冷暖房の室外機は、給湯器とともに収納箱内に収納され、給湯器と並んで配置されている。特許文献１に記載された収納箱内では、冷暖房の室外機は左側に配置され、給湯器は右側に配置されている。
【０００３】
設置スペースの関係から、吸気部と排気部とは、収納箱内において冷暖房の室外機の前面に互いに近接した位置に並んで配置されている。この排気部は前面より排気し、吸気部は排気部に近い位置で同じ前面から吸気する構造である。
【先行技術文献】
【特許文献】
【０００４】
【特許文献１】実開平４−１４９３１号公報
【発明の概要】
【発明が解決しようとする課題】
【０００５】
上述したように、冷暖房の室外機の吸気部の位置と排気部の位置とは、収納箱内において互いに近接して並んで配置されている。そのため、排気部から排出された空気が吸気部側に吸われてしまい、排気が吸気に混合することがある。このため、冷暖房の室外機の運転効率が低下していた。
そこで、本発明は、吸気部付近の吸気と排気部付近の排気とが互いに混合することを抑え、冷暖房の運転効率を上昇させることができる複合装置を提供することを目的とする。
【課題を解決するための手段】
【０００６】
本発明の複合装置は、建物の凹部に配置される複合装置であって、空気が吸い込まれる吸気部と空気が排出される排気部とを有するヒートポンプと、前記吸気部と前記排気部との間において前記ヒートポンプと並んで配置された給湯器と、を備えたことを特徴とする。
上記構成によれば、ヒートポンプの吸気部とヒートポンプの排気部との間には、給湯器がヒートポンプと並んで配置されている。すなわち、吸気部と排気部とは給湯器を挟んだ状態で、互いに離れて配置されている。このため、従来のように吸気部と排気部とが互いに近い位置に並んで配置された場合に比べて、吸気部付近の吸気と排気部付近の排気とが互いに混合することを抑え、冷暖房の運転効率を上昇させることができる。
【０００７】
好ましくは、前記ヒートポンプは、前記吸気部を有する第１領域部と、前記排気部を有する第２領域部と、を有し、前記第１領域部と前記第２領域部とは、第３領域部により互いに接続されており、前記第３領域部は、前記給湯器の背面側に配置されていることを特徴とする。
上記構成によれば、第３領域部は、第１領域部と第２領域部とを接続しており、給湯器の背面側に配置されている。そのため、給湯器の背部側を有効に利用して効率良くヒートポンプを構成する要素を配置するこができる。
【０００８】
好ましくは、前記第１領域部と前記第２領域部と前記給湯器とは、それぞれ前面カバーを有し、前記給湯器の前記前面カバーの前面は、前記第１領域部の前記前面カバーと前記第２領域部の前記前面カバーとの前面よりも前に配置され、前記給湯器の前記前面カバーは、前記第１領域部の前記前面カバーおよび前記第２領域部の前記前面カバーよりも前に配置された部分の側面に設けられた吸気孔を有することを特徴とする。
上記構成によれば、給湯器の前面カバーの前面がヒートポンプの第１領域部と第２領域部との各前面カバーの前面よりも前に配置され、給湯器の前面カバーは、ヒートポンプの第１領域部および第２領域部の各前面カバーよりも前に配置された部分の側面に設けられた吸気孔を有する。つまり、給湯器の吸気孔は、第１領域部および第２領域部の各前面カバーよりも前に突出した給湯器の前面カバーの側面部分に設けられ、外部に露出している。そのため、給湯器の吸気孔は、ヒートポンプの吸気部よりも優先的に空気を給湯器の内部に取り入れることができる。これにより、給湯器は、高い吸気性能を得ることができる。
【０００９】
好ましくは、前記凹部には、前記ヒートポンプと前記給湯器とを収納する収納箱が設置されていることを特徴とする。
上記構成によれば、複合装置は、収納箱内に並んで収納された状態で、この収納箱を用いて建物の凹部内に配置される。そのため、建物の凹部においてきれいにしかも確実に複合装置を納めることができる。
【発明の効果】
【００１０】
本発明は、吸気部付近の吸気と排気部付近の排気とが互いに混合することを抑え、冷暖房の運転効率を上昇させることができる複合装置を提供することができる。
【図面の簡単な説明】
【００１１】
【図１】本発明の複合装置の好ましい実施形態を示す正面図である。
【図２】本発明の複合装置の好ましい実施形態を示す正面図である。
【図３】図１に示す複合装置を示す一部断面を有する側面図である。
【図４】図１に示す複合装置を示す一部断面を有する側面図である。
【図５】本実施形態の給湯器を示す図である。
【図６】図１〜図４に示す複合装置と収納箱とを上から見た配置例を示す図である。
【図７】図４に表した領域Ａ１を拡大して表した側面図である。
【図８】本実施形態の第１固定金具を示す図である。
【図９】本実施形態の第２固定金具を示す図である。
【発明を実施するための形態】
【００１２】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
図１および図２は、本発明の複合装置の好ましい実施形態を示す正面図である。図３および図４は、図１に示す複合装置を示す一部断面を有する側面図である。図５は、本実施形態の給湯器を示す図である。
なお、図２は、給湯器１０の点検扉１２Ａが取り外された状態を表している。図４は、ヒートポンプ２０の上部における一部が省略された状態を表している。図５（ａ）は、給湯器１０の正面図を表し、図５（ｂ）は、給湯器１０の側面図を表している。
【００１３】
図１〜図４に示す複合装置１は、給湯器１０とヒートポンプ２０とを組み合わせたハイブリッド器具であり、例えば集合住宅の各住戸や戸建て住宅等に用いられるセントラルヒーティング等の用途に適用される。ヒートポンプ２０の吸気部２１Ｒと排気部２２Ｒは、給湯器１０を挟むようにして離れて配置されている。すなわち、給湯器１０は、ヒートポンプ２０の吸気部２１Ｒと、ヒートポンプ２０の排気部２２Ｒと、の間において、ヒートポンプ２０と並んで配置されている。この複合装置１は、建物１００の凹部であるはめ込み部１０２を利用して配置された収納箱１０１内に収納されている。
この収納箱１０１は、例えば集合住宅や戸建て住宅等の建物１００の外壁内に設けられたはめ込み部１０２内にはめ込んで装着されている。このはめ込み部１０２は、例えばいわゆる集合住宅等に設けられるパイプシャフト（ＰＳ）である。この収納箱１０１は、複合装置１の形状に合わせて、例えば上下方向に長い四角の箱である。
【００１４】
図１〜図４に示すように、複合装置１は、収納箱１０１内において、第１固定金具２５（図７（ａ）〜図７（ｃ）参照）、第２固定金具４１および固定ビス６１を用いてパイプシャフト等に固定されている。第１固定金具２５は、ヒートポンプ２０をパイプシャフト等に固定するための金具である。第２固定金具４１は、給湯器１０をパイプシャフト等に固定するために金具である。第１固定金具２５および第２固定金具４１の詳細については、後述する。複合装置１は、収納箱１０１内において、上下方向について上部分と中間部分にかけて収納されている。収納箱１０１の下部分の空間領域１０５の位置には、蓋部材１０３が開閉可能に配置されている。図３および図４に示すように、収納箱１０１内では、冷媒配管や電源用の配線等が、複合装置１の下部の空間領域１０５に収納されている。この蓋部材１０３は、空間領域１０５内の冷媒配管や電源用の配線等を覆っている。
【００１５】
具体的には、給水接続部４５Ａ、ガス接続部４５Ｂおよび給湯接続部４５Ｃが、空間領域１０５に収納されている。そして、給水接続部４５Ａ、ガス接続部４５Ｂおよび給湯接続部４５Ｃのそれぞれは、図２に表した配管接続部１２Ｃにおいて、給湯器１０に設けられた給水接続部４６Ａ、ガス接続部４６Ｂおよび給湯接続部４６Ｃのそれぞれに配管により接続されている。なお、配管接続部１２Ｃは、点検扉１２Ａにより覆い隠されている。
【００１６】
図１および図２に示すように、複合装置１は、給湯器１０と、冷暖房用のヒートポンプ２０と、を有している。この給湯器１０は、例えば上下方向に長く形成された長方形状の筐体１１を有しており、この筐体１１は前面カバー１２により覆われている。この前面カバー１２は、複数の吸気孔１３と、排気孔１４と、を有している。吸気孔１３は前面カバー１２の中央部の両側に配置され、排気孔１４は前面カバー１２の上部に配置されている。
【００１７】
図３および図４に示すように、点検扉２４がヒートポンプ２０の側面に設けられている。作業者は、ヒートポンプ２０の点検扉２４を取り外すことにより、ヒートポンプ２０の内部のメンテナンスを行うことができる。また、図５（ｂ）に示すように、点検扉１２Ｄが給湯器１０の側面に設けられている。作業者は、給湯器１０の点検扉１２Ｄを取り外すことにより、給湯器１０の内部のメンテナンスを行うことができる。
【００１８】
図６は、図１〜図４に示す複合装置１と収納箱１０１とを上から見た配置例を示す図である。
図１、図２および図６に例示するように、給湯器１０は、収納箱１０１内において、ほぼ中央の領域に配置されている。そして、図６に示すように、冷暖房用のヒートポンプ２０の筐体２０Ａは、上から見てほぼＵ字型を形成しており、収納箱１０１において、給湯器１０の左右の領域と背部に渡って配置されている。
図６に示すように、給湯器１０の筐体１１は、上から見て長方形状を有しており、前面カバー１２と、右側面１５と、左側面１６と、背面１７を有している。
ここで、図６に示すように、本願明細書において、「右」とは、複合装置１を正面からみたときの右側（右方向）をいう。「左」とは、複合装置１を正面からみたときの左側（左方向）をいう。「前」とは、複合装置１を正面からみたときの手前側（手前方向）をいう。「背」とは、複合装置１を正面からみたときの奥側（奥方向）をいう。
【００１９】
図６に示すように、冷暖房用のヒートポンプ２０の筐体２０Ａは、給湯器１０の筐体１１の右側面１５と左側面１６と背面１７に対応する位置に配置されている。言い換えれば、ヒートポンプ２０の筐体２０Ａの内部には、給湯器１０の筐体１１が設けられている。つまり、複合装置１は、給湯器１０の筐体１１がヒートポンプ２０の筐体２０Ａの内部に設けられた二重構造を有する。ヒートポンプ２０の筐体２０Ａは、上から見て長方形状の第１領域部２１と、長方形状の第２領域部２２と、長方形状の第３領域部２３と、を有する。
ヒートポンプ２０の筐体２０Ａの第１領域部２１は、給湯器１０の筐体１１の右側面１５側に配置されている。第２領域部２２は、給湯器１０の筐体１１の左側面１６側に配置されている。第３領域部２３は、給湯器１０の筐体１１の背面１７側に配置されている。
ヒートポンプ２０の筐体２０Ａの第１領域部２１は、外気を第１領域部２１内に取り入れるための吸気部２１Ｒを有する。すなわち、第１領域部２１の外部の空気が吸気部２１Ｒを通して第１領域部２１の内部に吸い込まれる。ヒートポンプ２０の筐体２０Ａの第２領域部２２は、第２領域部２２内から外部に排気をするための排気部２２Ｒを有している。すなわち、第２領域部２２の内部の空気が排気部２２Ｒを通して第２領域部２２の外部に排出される。
【００２０】
図６は、ヒートポンプ２０の各構成要素が、筐体２０Ａの第１領域部２１と第２領域部２２と第３領域部２３とに配置されている例を示している。図６に例示するヒートポンプ２０は、第１水熱交換器３１と、第２水熱交換器３２と、圧縮機３３と、空気熱交換器３４と、ファン３５と、膨張弁３６と、これらの要素を接続している冷媒配管３７と、四方切替弁７０と、を有している。
このファン３５としては、空気熱交換器３４において、排気を外部へ遠く飛ばす必要が無いので、例えばプロペラファンを採用できる。一方、給湯器１０は、風が吹いている状態でも、排気を外部へ遠くまで飛ばすことができるようにするために、プロペラファンよりも強力なシロッコファンを用いている。
【００２１】
図６の配置例では、ヒートポンプ２０の筐体２０Ａの第１領域部２１には、第１水熱交換器３１が配置されている。第２領域部２２には、空気熱交換器３４とファン３５とが配置されている。第３領域部２３には、第２水熱交換器３２と圧縮機３３と膨張弁３６とが配置されている。しかし、ヒートポンプ２０の構成要素の配置は一例であり、任意に設定することができる。
図１、図２および図６に示すように、ヒートポンプ２０の筐体２０Ａの第１領域部２１は、前面カバー５１により着脱可能に覆われている。ヒートポンプ２０の筐体２０Ａの第２領域部２２は、前面カバー５２により着脱可能に覆われている。なお、前面カバー５１および前面カバー５２は、一体として設けられていてもよい。
図３、図４および図６に示すように、給湯器１０の筐体１１の前面カバー１２の前面１２Ｂは、ヒートポンプ２０の前面カバー５１，５２の前面５１Ｂ，５２Ｂよりも前に配置されている。そして、給湯器１０の前面カバー１２は、第１領域部２１の前面カバー５１および第２領域部２２の前面カバー５２よりも前に配置された部分の側面に設けられた吸気孔１３を有する。つまり、給湯器１０の吸気孔１３は、第１領域部２１の前面カバー５１および第２領域部２２の前面カバー５２よりも前に突出した前面カバー１２の側面部分に設けられ、外部に露出している。給湯器１０の前面カバー１２の前面１２Ｂと、ヒートポンプ２０の前面カバー５１，５２の前面５１Ｂ，５２Ｂと、の間の前後方向の距離Ｄ１は、例えば約１０ｍｍ程度である。そのため、給湯器１０の吸気孔１３は、ヒートポンプ２０の吸気部２１Ｒよりも優先的に空気を給湯器１０の内部に取り入れることができる。これにより、給湯器１０は、高い吸気性能を得ることができる。
【００２２】
冷媒配管３７は、第１水熱交換器３１と第２水熱交換器３２と圧縮機（コンプレッサ）３３と空気熱交換器３４と膨張弁３６と四方切替弁７０とを接続している。第１水熱交換器３１には、給湯器１０に接続されている配管１８が配置されている。この第１水熱交換器３１では、冷媒配管３７の配管３７Ａ内の冷媒と、給湯器１０の配管１８内を流れる水（湯）との間で、熱交換できる。第２水熱交換器３２には、給湯器１０に接続されている配管１９が配置されている。第２水熱交換器３２では、例えば冷媒配管３７内の配管３７Ｂ内の冷媒と、給湯器１０の配管１９内を流れる水（湯）との間で、熱交換できる。
【００２３】
図６において、ヒートポンプ２０が冷房運転を行って、第１水熱交換器３１が冷房機として機能する場合には、ヒートポンプ２０は次の通り動作する。この場合には、四方切替弁７０を切り換えて、冷媒（熱媒体）の送り方向を冷房運転方向Ｒ１にする。
圧縮機３３は、冷媒の高温・高圧の気体を生成する。このとき、高温・高圧の気体状態は、液体になりやすい（液体になる寸前）の状態である。この冷媒の高温・高圧の気体が、圧縮機３３から四方切替弁７０および第２水熱交換器３２を経て、凝縮器である空気熱交換器３４へ供給される。ファン３５が作動して空気熱交換器３４では放熱が行われて、冷媒の常温・高圧の液体が得られる。
【００２４】
冷媒の常温・高圧の液体が、空気熱交換器３４から膨張弁３６へ供給されると、膨張弁３６は、冷媒の低温・低圧の液体を生成する。このとき、低温・低圧の液体状態は、気体になりやすい（気体になる寸前）の状態である。この冷媒の低温・低圧の液体が、膨張弁３６から第１水熱交換器３１へ送られることで、第１水熱交換器３１では、冷媒配管３７内の冷媒は、給湯器１０の配管１８内を流れる水（湯）との間で吸熱を行う。これにより、給湯器１０の配管１８を通る水（湯）が冷却される。
第１水熱交換器３１から圧縮機３３へは、温度の上がった冷媒の比較的高温・低圧の気体が送られる。圧縮機３３は、冷媒の比較的高温・低圧の気体を圧縮して、再び冷媒の高温・高圧の気体を生成する。以上説明したサイクルを繰り返すことで、ヒートポンプ２０は給湯器１０の配管１８を通る水（湯）の冷却を行うことができる。
【００２５】
また、図６において、ヒートポンプ２０が暖房運転を行って、第１水熱交換器３１が暖房機として機能する場合には、ヒートポンプ２０は次の通り動作する。この場合には、四方切替弁７０を切り換えて、冷媒の送り方向を冷房運転方向Ｒ１から暖房運転方向Ｒ２に換える。
圧縮機３３は、冷媒の高温・高圧の気体を生成する。このとき、高温・高圧の気体状態は、液体になりやすい（液体になる寸前）の状態である。この冷媒の高温・高圧の気体が、圧縮機３３から四方切替弁７０および第１水熱交換器３１を経て、膨張弁３６へ供給される。第１水熱交換器３１では、放熱が行われることで、冷媒配管３７内の冷媒は、給湯器１０の配管１８内を流れる水（湯）との間で熱交換を行う。これにより、給湯器１０の配管１８を通る水（湯）が加熱される。第１水熱交換器３１から膨張弁３６へは、冷媒の比較的低温・高圧の気体が送られる。
【００２６】
膨張弁３６は、冷媒の比較的低温・高圧の気体を減圧して冷媒の低温・低圧の液体を生成する。このとき、低温・低圧の液体状態は、気体になりやすい（気体になる寸前）の状態である。この冷媒の低温・低圧の液体が、膨張弁３６から空気熱交換器３４に供給される。そして、冷媒の低温・低圧の液体が空気熱交換器３４を通ると、空気熱交換器３４ではファン３５の作動により冷媒の低温・低圧の気体の温度を上げる。この冷媒の比較的高温・低圧の気体は、空気熱交換器３４から第２水熱交換器３２を経て圧縮機３３へ供給される。すると、圧縮機３３は、冷媒の比較的高温・低圧の気体を圧縮して、再び冷媒の高温・高圧の気体を生成する。以上説明したサイクルを繰り返すことで、ヒートポンプ２０は給湯器１０の配管１８を通る水（湯）の加熱を行うことができる。
【００２７】
図１、図２および図６に示すように、ヒートポンプ２０の前面カバー５１には、ほぼ全面に渡って複数の吸気孔５１Ａが設けられている。ヒートポンプ２０の前面カバー５２には、ほぼ全面に渡って複数の排気孔５２Ａが設けられている。複数の吸気孔５１Ａは、ヒートポンプ２０の第１領域部２１に設けられた吸気部２１Ｒを構成している。複数の排気孔５２Ａは、ヒートポンプ２０の第２領域部２２に設けられた排気部２２Ｒを構成している。なお、吸気部２１Ｒは、ひとつの吸気孔５１Ａにより構成されていてもよい。また、排気部２２Ｒは、ひとつの排気孔５２Ａにより構成されていてもよい。
【００２８】
図６に示すように、給湯器１０は、はめ込み部１０２の中央領域に配置されている。しかも、はめ込み部１０２において、この給湯器１０の右側の領域には、ヒートポンプ２０の第１領域部２１が配置されている。一方で、はめ込み部１０２において、給湯器１０の左側の領域には、ヒートポンプ２０の第２領域部２２が配置されている。このため、給湯器１０の前面カバー１２は、はめ込み部１０２の中央領域に配置されている。また、はめ込み部１０２において、この給湯器１０の前面カバー１２の右側の領域には、ヒートポンプ２０の前面カバー５１が配置されている。さらに、給湯器１０の前面カバー１２の左側の領域には、ヒートポンプ２０の前面カバー５２が配置されている。
【００２９】
図６に示すヒートポンプ２０の前面カバー５１，５２の幅寸法Ｌ１，Ｌ２の例としては、同じ寸法かあるいはほぼ同じ寸法を採用でき、例えば１２０ｍｍから１３０ｍｍに設定されている。このように、前面カバー５１，５２の幅寸法Ｌ１，Ｌ２が同じ寸法かあるいはほぼ同じであると、複合装置１のヒートポンプ２０の第１領域部２１と第２領域部２２は、給湯器１０を挟んで左右対称になるので、外観デザイン上見栄えが良い。
また、給湯器１０の前面カバー１２の幅寸法Ｌ３の例としては、例えば２５０ｍｍに設定されている。図１、図２および図６に示すように、ヒートポンプ２０の前面カバー５１，５２は、給湯器１０の前面カバー１２を間において、幅寸法Ｌ３だけ離して配置されている。
【００３０】
次に、上述した構造を有する複合装置１の作用を説明する。
図１〜図５に示す給湯器１０が動作すると、給湯器１０の筐体１１の前面カバー１２の中央部両側および側面にある吸気孔１３から、外気が吸入され、ガスの燃焼により生じた排気ガスは、給湯器１０の筐体１１の前面カバー１２の上部にある排気孔１４から外部に排出することができる。
【００３１】
一方、図１〜図４に示すヒートポンプ２０が動作すると、図６に示すファン３５が回転することで、ヒートポンプ２０の前面カバー５１の複数の吸気孔５１Ａから外気が取り入れられ、ヒートポンプ２０の前面カバー５２の複数の排気孔５２Ａから排気ガスが排出される。
このようなヒートポンプ２０の動作の際には、ヒートポンプ２０の前面カバー５１，５２は、給湯器１０の前面カバー１２を間において、幅寸法Ｌ３だけ離して配置されている。
【００３２】
このため、ヒートポンプ２０の前面カバー５２の複数の排気孔５２Ａを通じて排出される排気ガスが、ヒートポンプ２０の前面カバー５１の複数の吸気孔５１Ａに戻ってしまうことを防止できる。このため、排気孔５２Ａ付近の排気ガスが、吸気孔５１Ａ付近の空気と混合してしまうことを回避できる。
従って、前面カバー５１の吸気孔５１Ａから入り込む空気が、排気ガスに混ざってしまうことが無くなるので、ヒートポンプ２０の運転効率を上げることができる。吸気孔５１Ａ付近の吸気と排気孔５２Ａ付近の排気が混合するのを防止して、ヒートポンプ２０の冷暖房の運転効率を上昇させることができる。
【００３３】
図７は、図４に表した領域Ａ１を拡大して表した側面図である。図８は、本実施形態の第１固定金具を示す図である。図９は、本実施形態の第２固定金具を示す図である。
なお、図７（ａ）は、固定ビス６３を外した状態を表し、図７（ｂ）は、給湯器１０が持ち上げられた状態を表し、図７（ｃ）は、給湯器１０が前に引き抜かれた状態を表している。また、図８（ｂ）は、図８（ａ）に表した矢印Ａ１１の方向からみたときの側面図であり、図９（ｂ）は、図９（ａ）に表した矢印Ａ１２の方向からみたときの側面図である。
【００３４】
一般的に、給湯器１０の修理頻度は、ヒートポンプ２０の修理頻度よりも高い。そこで、本実施形態に係る複合装置１において、給湯器１０は、複合装置１から取り外し可能とされている。これにより、作業者は、給湯器１０の修理や交換などを容易に行うことができる。
【００３５】
具体的に説明すると、図６に関して前述したように、複合装置１は、給湯器１０の筐体１１がヒートポンプ２０の筐体２０Ａの内部に設けられた二重構造を有する。ヒートポンプ２０の筐体２０Ａおよび給湯器１０の筐体１１は、それぞれ独立した第１固定金具２５と第２固定金具４１とを有する。図７（ａ）〜図７（ｃ）に表したように、ヒートポンプ２０の上部には、第１固定金具２５が取り付けられている。第１固定金具２５は、ヒートポンプ２０をパイプシャフト等に固定するための金具であり、図８（ａ）に表したように、固定ビス６１の一部が通過可能なビス孔２６を有する。ビス孔２６は、第１孔２６Ａと、第２孔２６Ｂと、を有する。第１孔２６Ａは、固定ビス６１の頭部６１Ａの径よりも大きい径または固定ビス６１の頭部６１Ａの幅よりも大きい幅を有し、固定ビス６１の頭部６１Ａが通過可能とされている。第２孔２６Ｂは、固定ビス６１の軸部６１Ｂの径よりも大きい径または幅を有する一方で固定ビス６１の頭部６１Ａの径よりも小さい径または幅を有し、固定ビス６１の軸部６１Ｂが通過可能である一方で固定ビス６１の頭部６１Ａが通過不能とされている。
【００３６】
また、図１、図２、図５（ａ）、図５（ｂ）および図７（ａ）〜図７（ｃ）に表したように、給湯器１０の上部には、第２固定金具４１が取り付けられている。第２固定金具４１は、給湯器１０をパイプシャフト等に固定するために金具であり、図９（ａ）に表したように、固定ビス６１の一部が通過可能なビス孔４２を有する。ビス孔４２は、第１孔４２Ａと、第２孔４２Ｂと、を有する。第１孔４２Ａは、固定ビス６１の頭部６１Ａの径よりも大きい径または固定ビス６１の頭部６１Ａの幅よりも大きい幅を有し、固定ビス６１の頭部６１Ａが通過可能とされている。第２孔４２Ｂは、固定ビス６１の軸部６１Ｂの径よりも大きい径または幅を有する一方で固定ビス６１の頭部６１Ａの径よりも小さい径または幅を有し、固定ビス６１の軸部６１Ｂが通過可能である一方で固定ビス６１の頭部６１Ａが通過不能とされている。
【００３７】
作業者が給湯器１０を複合装置１から取り外す場合には、まず、複合装置１をパイプシャフト等に固定するための固定ビス６１を緩める。続いて、作業者は、点検扉１２Ａ（図１参照）をヒートポンプ２０に固定するための固定ビス６２（図１参照）を外し、点検扉１２Ａをヒートポンプ２０から取り外す。続いて、作業者は、配管接続部１２Ｃにおいて給湯器１０とヒートポンプ２０とを接続する配管を外したり、電源用やリモコン用の配線等を外したりする。続いて、作業者は、給湯器１０をヒートポンプ２０に固定するための固定ビス６３（図２参照）を緩めたり、あるいは外したりする。このときの複合装置１の状態は、図７（ａ）に表した通りである。
【００３８】
続いて、作業者は、給湯器１０を上へ持ち上げる。そうすると、固定ビス６１の位置が相対的に第２固定金具４１の第２孔４２Ｂから第１孔４２Ａへ移動する。このときの複合装置１の状態は、図７（ｂ）に表した通りである。続いて、作業者は、給湯器１０を前（手前）に移動させる。このとき、固定ビス６１が第２固定金具４１の第１孔４２Ａに位置しているため、固定ビス６１の頭部６１Ａは、第２固定金具４１のビス孔４２（具体的には第１孔４２Ａ）を通過することができる。また、ヒートポンプ２０の筐体２０Ａの上部には、作業者が給湯器１０を手前に引き抜き複合装置１から取り外すときに第２固定金具４１が通過可能な略長方形の切り欠きが設けられている。これにより、作業者は、給湯器１０を前に引き抜き、複合装置１から取り外すことができる。このときの複合装置１の状態は、図７（ｃ）に表した通りである。
【００３９】
このようにして、作業者は、給湯器１０を複合装置１から取り外すことができるため、給湯器１０の修理や交換などを容易に行うことができる。また、作業者は、給湯器１０を複合装置１から取り外した後に、固定ビス６４（図１および図２参照）を外すことでヒートポンプ２０の前面カバー５１，５２を取り外すことができる。ヒートポンプ２０の前面カバー５１，５２を外さなくてもヒートポンプ２０の内部のメンテナンスを行うことができるが、前面カバー５１，５２を外すことにより、作業者は、ヒートポンプ２０の内部のメンテナンスをより一層容易に行うことができる。
【００４０】
上述したように、本発明の実施形態の複合装置１は、ヒートポンプ２０と給湯器１０とを備え、ヒートポンプ２０と給湯器１０とが並んで建物１００の凹部である例えばはめ込み部１０２に配置されるハイブリッド器具である。このヒートポンプ２０は、吸気部２１Ｒと排気部２２Ｒとを有し、吸気部２１Ｒと排気部２２Ｒとの間には、給湯器１０がヒートポンプ２０と並んで配置されている。
これにより、ヒートポンプ２０の吸気部２１Ｒとヒートポンプ２０の排気部２２Ｒとの間には、給湯器１０が配置されているので、吸気部２１Ｒと排気部２２Ｒとは、給湯器１０を挟んだ状態で、互いに離れて配置される。このため、従来のように吸気部と排気部とが互いに近い位置に並んで配置された場合に比べて、吸気部２１Ｒ付近の吸気と排気部２２Ｒ付近の排気とが互いに混合することを抑え、ヒートポンプ２０による冷暖房の運転効率を上昇させることができる。
【００４１】
ヒートポンプ２０は、吸気部２１Ｒを有する第１領域部２１と、排気部２２Ｒを有する第２領域部２２と、を有し、第１領域部２１と第２領域部２２とは、第３領域部２３により互いに接続されており、第３領域部２３は、給湯器１０の背面側に配置されている。
これにより、第３領域部２３は、第１領域部２１と第２領域部２２とを接続しており、給湯器１０の背面側に配置されている。そのため、給湯器１０の背部側を有効に利用して効率良くヒートポンプ２０を構成する要素を配置するこができる。
【００４２】
ヒートポンプ２０の第１領域部２１とヒートポンプ２０の第２領域部２２と給湯器１０は、それぞれ前面カバー５１，５２，１２を有し、前面カバー１２の前面１２Ｂは、各前面カバー５１，５２の前面５１Ｂ，５２Ｂよりも前に配置されている。そして、給湯器１０の前面カバー１２は、ヒートポンプ２０の第１領域部２１の前面カバー５１および第２領域部２２の前面カバー５２よりも前に配置された部分の側面に設けられた吸気孔１３を有することを特徴とする。
そのため、給湯器１０の吸気孔１３は、ヒートポンプ２０の吸気部２１Ｒよりも優先的に空気を給湯器１０の内部に取り入れることができる。これにより、給湯器１０は、高い吸気性能を得ることができる。
【００４３】
また、建物の凹部であるはめ込み部１０２には、ヒートポンプ２０と給湯器１０とを収納する収納箱１０１が設置されている。
これにより、複合装置１は、収納箱１０１内に並んで収納された状態で、この収納箱１０１を用いて建物の凹部であるはめ込み部１０２内に配置される。このため、はめ込み部１０２においてきれいにしかも確実に複合装置１を納めることができる。
【００４４】
本発明は、上記実施形態に限定されず、特許請求の範囲を逸脱しない範囲で種々の変更を行うことができる。上記実施形態の各構成は、その一部を省略したり、上記とは異なるように任意に組み合わせたりすることができる。
例えば、図示例では、ヒートポンプ２０の吸気側の第１領域部２１は、中央位置の給湯器１０の右側に配置され、ヒートポンプ２０の排気側の第２領域部２２は、中央位置の給湯器１０の左側に配置されている。
【００４５】
しかし、これに限らず、逆の配置、すなわちヒートポンプ２０の吸気側の第１領域部２１は、中央位置の給湯器１０の左側に配置され、ヒートポンプ２０の排気側の第２領域部２２は、中央位置の給湯器１０の右側に配置されても良い。
ヒートポンプ２０では、吸気側の第１領域部２１の前面カバー５１の幅寸法Ｌ１と、排気側の第２領域部２２の前面カバー５２の幅寸法Ｌ２は、同じ寸法あるいはほぼ同じであっても良いし、または異なる寸法でも良い。
【符号の説明】
【００４６】
１・・・複合装置
１０・・給湯器
１１・・給湯器の筐体
１２・・給湯器の筐体の前面カバー
２０・・ヒートポンプ
２１・・ヒートポンプの吸気側の第１領域部
２１Ｒ・第１領域部の吸気部
２２・・ヒートポンプの排気側の第２領域部
２２Ｒ・第２領域部の排気部
２３・・ヒートポンプの排気側の第３領域部
５１・・ヒートポンプの第１領域部の前面カバー
５２・・ヒートポンプの第２領域部の前面カバー
１００・建物
１０１・収納箱
１０２・はめ込み部（凹部）
１０３・蓋部材
【図１】
2018091532.tif 000003
【図２】
2018091532.tif 000004
【図３】
2018091532.tif 000005
【図４】
2018091532.tif 000006
【図５】
2018091532.tif 000007
【図６】
2018091532.tif 000008
【図７】
2018091532.tif 000009
【図８】
2018091532.tif 000010
【図９】
2018091532.tif 000011